(57)【要約】      （修正有）【課題】装置構成を変更することなく切り替え操作のみによって、ＧＣ−ＭＳ／におい嗅ぎ分析、ＧＣ−分取等を自由自在に行える試料ガス分流装置を提供する。【解決手段】圧力制御装置付き試料注入口と、試料注入口に接続したＧＣカラムと、ＧＣカラムに接続した３方コネクタＴ1-2と、Ｔ1-2に各々接続したＴ1-1、Ｔ1-3と、Ｔ1-3に接続したＴ3-2と、Ｔ1-1、Ｔ3-2に接続し、Ｔ1-1、Ｔ3-2への流路を切り替える流路切替バルブＶ1と、流路切換バルブＶ1に接続したＴ3-1とＴ3-1に接続した第１の圧力制御装置と、Ｔ3-1とＴ3-2との間に、前記流路切替バルブＶ1を介さずに接続した流路開閉バルブＶ2と、Ｔ1-3に接続する第１の試料ガス放出口と、Ｔ1-1に接続する第２の試料ガス放出口、を備えることを特徴とする試料ガス分流装置を用いる。【選択図】図１０
2014211338.tif 000002
【特許請求の範囲】
【請求項１】
（ａ）圧力制御装置付き試料注入口５１と、
（ｂ）前記試料注入口５１に接続したＧＣカラム５６と、
（ｃ）前記ＧＣカラム５６に接続した３方コネクタＴ1-2と、
（ｄ）前記３方コネクタＴ1-2に各々接続した３方コネクタＴ1-1、Ｔ1-3と、
（ｅ）前記３方コネクタＴ1-3に接続した３方コネクタＴ3-2と、
（ｆ）前記３方コネクタＴ1-1、Ｔ3-2に接続し、３方コネクタＴ1-1、Ｔ3-2への流路を切り替える流路切替バルブＶ1と、
（ｇ）前記流路切換バルブＶ1に接続した３方コネクタＴ3-1と、
（ｈ）前記３方コネクタＴ3-1に接続した第１の圧力制御装置５２と、
（ｉ）前記３方コネクタＴ3-1とＴ3-2との間に、前記流路切替バルブＶ1を介さずに接続した流路開閉バルブＶ2と、
（ｊ）前記３方コネクタＴ1-3に接続する第１の試料ガス放出口２１と、Ｔ1-1に接続する第２の試料ガス放出口２２、
を備えることを特徴とする試料ガス分流装置。
【請求項２】
（ｋ）前記３方コネクタＴ1-3と前記第１の試料ガス放出口２１との間に接続した３方コネクタＴ2-3と、
（ｌ）前記３方コネクタＴ1-1と前記第２の試料ガス放出口２２との間に接続した３方コネクタＴ2-1と、
（ｍ）前記３方コネクタＴ2-1とＴ2-3に接続した３方コネクタＴ2-2と、
（ｎ）前記３方コネクタＴ2-2に接続した第２の圧力制御装置５３と、
をさらに備えることを特徴とする、請求項１に記載の試料ガス分流装置。
【請求項３】
請求項１または２に記載の試料ガス分流装置の、第１の試料ガス放出口２１に接続した第１の分析装置４２と、第２の試料ガス放出口２２に接続した第２の分析装置４３と、
を備えることを特徴とする分析装置。
【請求項４】
前記第１の分析装置４２および第２の分析装置４３が、各々独立に、質量分析器、ＧＣ検出器およびにおい嗅ぎ装置からなる群から選択される、請求項３に記載の分析装置。
【請求項５】
ＧＣ検出器が、ＦＩＤ、ＮＰＤ、ＥＣＤ、ＳＣＤ、ＮＣＤ、ＡＥＤ、ＦＰＤ、およびＰＦＰＤからなる群から選択される、請求項４に記載の分析装置。
【請求項６】
請求項１または２に記載の試料ガス分流装置の、試料ガス放出口２１および／または２２に接続した試料ガス捕集管、
を備えることを特徴とする試料ガス分取装置。
【請求項７】
請求項１または２に記載の試料ガス分流装置の、第１の試料ガス放出口２１または第２の試料ガス放出口２２の一方に接続した質量分析器またはＧＣ検出器と、第１の試料ガス放出口２１または第２の試料ガス放出口２２のもう一方に接続した捕集管、
を備えることを特徴とする試料ガス分取装置。
【請求項８】
請求項１または２に記載の試料ガス分流装置の、第１の試料ガス放出口２１または第２の試料ガス放出口２２の一方に接続した質量分析器またはＧＣ検出器と、第１の試料ガス放出口２１または第２の試料ガス放出口２２のもう一方に接続したにおい嗅ぎ装置、
を備えることを特徴とするにおい成分分析装置。
【発明の詳細な説明】
【技術分野】
【０００１】
本発明は、ガスクロマトグラフ、質量分析装置、におい嗅ぎ装置、ガス分取装置等に用いられる試料ガス分流装置に関する。また、本発明は、該試料ガス分流装置と、ガスクロマトグラフ、質量分析装置、におい嗅ぎ装置とを組み合わせた分析装置またはにおい成分分析装置、ならびに、該試料ガス分流装置と、ガスクロマトグラフ、質量分析装置、ガス捕集管とを組み合わせた試料ガス分取装置に関する。
【背景技術】
【０００２】
近年、消費者の食の安全、健康影響などに関する関心の高まりなどを受けて、食品、飲料、香料、包装容器、自動車、自動車部品メーカーなど多くの業種にＧＣ−ＭＳ／におい嗅ぎ装置が導入されている。このにおい成分の分析においては、ＧＣや、ＧＣ−ＭＳを用い、ＧＣ出口部分に取り付けて使用するにおい嗅ぎ装置（非特許文献１）と組合せて分析を行うことで、同定分析を行っている（ＧＣ−ＭＳ／におい嗅ぎ分析、図１、図２参照）。
【０００３】
しかしながら、分析に求められる要求は益々高まり、より微量のにおい成分に対する分析技術が求められるため、ＧＣ−ＭＳ／におい嗅ぎ装置では感度不足から、これらの成分を同定分析するために濃縮手法への要求が高まっている。この濃縮手法としては、ＧＣ分取装置（非特許文献２、３）を用い、ＧＣで分離した一定の領域を複数回濃縮し、再度ＧＣ−ＭＳによる同定分析を行っている。
【０００４】
しかしながら、ＧＣ分取を行う装置とＧＣ−ＭＳ／におい嗅ぎ分析装置は別々の装置であり、感度が不十分な成分の濃縮、同定を行う際には、高額な装置を２システム保有する必要がある。
【０００５】
また、感度を得るために、ＧＣに導入した試料全量をＭＳで検出する場合でも、ＧＣ−ＭＳ／におい嗅ぎ装置をＧＣ−ＭＳに装置構成を変更する必要があり、また、この際、ＧＣでの保持時間が異なるため、におい嗅ぎ装置の情報を用いた同定が困難となる。
【先行技術文献】
【非特許文献】
【０００６】
【非特許文献１】ＧＥＲＳＴＥＬ社加熱脱着導入システムカタログ、１６，１７ページ
【非特許文献２】ＧＥＲＳＴＥＬ社ソリューションカタログ、１７ページ
【非特許文献３】ＧＥＲＳＴＥＬ社におい分析システムカタログ、９ページ
【発明の概要】
【発明が解決しようとする課題】
【０００７】
本発明の課題は、装置構成を変更することなく、簡単な切り替え操作のみによって、ＧＣ−ＭＳ／におい嗅ぎ、ＧＣ−ＭＳ分析、ＧＣ−におい嗅ぎ分析、ＧＣ−分取を行えるようにする、試料ガス分流装置を開発することにある。
【課題を解決するための手段】
【０００８】
本発明者らは、ＧＣ装置内において、特定の流路制御を行う機構を組み込むことにより、装置構成を変更することなく、簡単な切り替え操作のみによって、ＧＣ−ＭＳ／におい嗅ぎ、ＧＣ−ＭＳ分析、ＧＣ−におい嗅ぎ分析、ＧＣ−分取を自由自在に行える試料ガス分流装置が得られることを見出した。
【０００９】
即ち、本発明は、
（ａ）圧力制御装置付き試料注入口５１と、
（ｂ）前記試料注入口５１に接続したＧＣカラム５６と、
（ｃ）前記ＧＣカラム５６に接続した３方コネクタＴ1-2と、
（ｄ）前記３方コネクタＴ1-2に各々接続した３方コネクタＴ1-1、Ｔ1-3と、
（ｅ）前記３方コネクタＴ1-3に接続した３方コネクタＴ3-2と、
（ｆ）前記３方コネクタＴ1-1、Ｔ3-2に接続し、３方コネクタＴ1-1、Ｔ3-2への流路を切り替える流路切替バルブＶ1と、
（ｇ）前記流路切換バルブＶ1に接続した３方コネクタＴ3-1と、
（ｈ）前記３方コネクタＴ3-1に接続した第１の圧力制御装置５２と、
（ｉ）前記３方コネクタＴ3-1とＴ3-2との間に、前記流路切替バルブＶ1を介さずに接続した流路開閉バルブＶ2と、
（ｊ）前記３方コネクタＴ1-3に接続する第１の試料ガス放出口２１と、Ｔ1-1に接続する第２の試料ガス放出口２２、
を備えることを特徴とする試料ガス分流装置である。
【００１０】
また、本発明は、
（ｋ）前記３方コネクタＴ1-3と前記第１の試料ガス放出口２１との間に接続した３方コネクタＴ2-3と、
（ｌ）前記３方コネクタＴ1-1と前記第２の試料ガス放出口２２との間に接続した３方コネクタＴ2-1と、
（ｍ）前記３方コネクタＴ2-1とＴ2-3に接続した３方コネクタＴ2-2と、
（ｎ）前記３方コネクタＴ2-2に接続した第２の圧力制御装置５３と、
をさらに備えることを特徴とする、上記の試料ガス分流装置である。
【００１１】
また、本発明は、上記の試料ガス分流装置の、第１の試料ガス放出口２１に接続した第１の分析装置４２と、第２の試料ガス放出口２２に接続した第２の分析装置４３と、を備えることを特徴とする分析装置である。
【００１２】
また、本発明は、前記第１の分析装置４２および第２の分析装置４３が、各々独立に、質量分析器、ＧＣ検出器およびにおい嗅ぎ装置からなる群から選択される、上記の分析装置である。
【００１３】
また、本発明は、ＧＣ検出器が、ＦＩＤ、ＮＰＤ、ＥＣＤ、ＳＣＤ、ＮＣＤ、ＡＥＤ、ＦＰＤ、およびＰＦＰＤからなる群から選択される、上記の分析装置である。
【００１４】
また、本発明は、上記の試料ガス分流装置の、試料ガス放出口２１および／または２２に接続した試料ガス捕集管、を備えることを特徴とする試料ガス分取装置である。
【００１５】
また、本発明は、上記の試料ガス分流装置の、第１の試料ガス放出口２１または第２の試料ガス放出口２２の一方に接続した質量分析器またはＧＣ検出器と、第１の試料ガス放出口２１または第２の試料ガス放出口２２のもう一方に接続した捕集管、を備えることを特徴とする試料ガス分取装置である。
【００１６】
また、本発明は、上記の試料ガス分流装置の、第１の試料ガス放出口２１または第２の試料ガス放出口２２の一方に接続した質量分析器またはＧＣ検出器と、第１の試料ガス放出口２１または第２の試料ガス放出口２２のもう一方に接続したにおい嗅ぎ装置、を備えることを特徴とするにおい成分分析装置である。
【発明の効果】
【００１７】
本発明の試料ガス分流装置を用いることにより、ＧＣ−ＭＳにおいて、装置構成を変更することなく、ガスクロマトグラフ装置（ＧＣ）をＧＣ−ＭＳ／におい嗅ぎ、ＧＣ−ＭＳ分析、ＧＣ−におい嗅ぎ分析、ＧＣ−分取を自由自在に行えるようになる。また、本発明によれば、におい分析以外の分析においてもＧＣ分析とＧＣ分取を切り替えて行うことが、可能となる。
【図面の簡単な説明】
【００１８】
【図１】図１は、１次元のガスクロマトグラフ−質量分析器を用いたにおい嗅ぎ装置を示す図である。
【図２】図２は、１次元のガスクロマトグラフ−質量分析器を用いたにおい嗅ぎ装置を用いた、分析例である。
【図３】図３は、本発明の試料ガス分流装置の第１の態様の構成を示す図である。
【図４】図４は、本発明の試料ガス分流装置の第２の態様の構成を示す図である。
【図５】図５は、本発明の分析装置の１例を示す図である。
【図６】図６は、本発明の試料ガス分取装置の１例を示す図である。
【図７】図７は、本発明の試料ガス分流装置および分析装置の作用を示す図である。
【図８】図８は、本発明の試料ガス分流装置および分析装置の作用を示す図である。
【図９】図９は、本発明の試料ガス分流装置および分析装置の作用を示す図である。
【図１０】図１０は、本発明の試料ガス分流装置および試料ガス分取装置の作用を示す図である。
【発明を実施するための形態】
【００１９】
本発明を、図面を参照して、説明する。図３に本発明の試料ガス分流装置の第１の態様の概略を示す。図３において、本発明の試料ガス分流装置１０の第１の態様は、（ａ）圧力制御装置付き試料注入口５１と、（ｂ）前記試料注入口５１に接続したＧＣカラム５６と、（ｃ）前記ＧＣカラム５６に接続した３方コネクタＴ1-2と、（ｄ）前記３方コネクタＴ1-2に各々接続した３方コネクタＴ1-1、Ｔ1-3と、（ｅ）前記３方コネクタＴ1-3に接続した３方コネクタＴ3-2と、（ｆ）前記３方コネクタＴ1-1、Ｔ3-2に接続し、３方コネクタＴ1-1、Ｔ3-2への流路を切り替える流路切替バルブＶ1と、（ｇ）前記流路切換バルブＶ1に接続した３方コネクタＴ3-1と（ｈ）前記３方コネクタＴ3-1に接続した第１の圧力制御装置５２と、（ｉ）前記３方コネクタＴ3-1とＴ3-2との間に、前記流路切替バルブＶ1を介さずに接続した流路開閉バルブＶ2と、（ｊ）前記３方コネクタＴ1-3に接続する第１の試料ガス放出口２１と、Ｔ1-1に接続する第２の試料ガス放出口２２、を備える。
【００２０】
次に、図４に本発明の試料ガス分流装置１０の第２の態様の概略を示す。図３、図４において、同一の符号は、同一の器具を示す。図４において、本発明の試料ガス分流装置の第２の態様は、図３に示す第１の態様のものに加え、（ｋ）前記３方コネクタＴ1-3と前記第１の試料ガス放出口２１との間に接続した３方コネクタＴ2-3と、（ｌ）前記３方コネクタＴ1-1と前記第２の試料ガス放出口２２との間に接続した３方コネクタＴ2-1と、（ｍ）前記３方コネクタＴ2-1とＴ2-3に接続した３方コネクタＴ2-2と、（ｎ）前記３方コネクタＴ2-2に接続した第２の圧力制御装置５３と、をさらに備える。
【００２１】
図５に、本発明の試料ガス分流装置を用いた分析装置の１例を示す。図５において、本発明の分析装置は、上述の試料ガス分流装置の、第１の試料ガス放出口２１に接続した第１の分析装置４２と、第２の試料ガス放出口２２に接続した第２の分析装置４３と、を備える。ここで、試料注入口５１、圧力制御装置５２および５３、流路切替バルブＶ1、流路開閉バルブＶ2、３方コネクタＴ1-1、Ｔ1-2、Ｔ1-3、Ｔ2-1、Ｔ2-2、Ｔ2-3、Ｔ3-1、Ｔ3-2、ＧＣカラム５６は、ガスクロマトグラフ装置４１を構成する。そして、本発明の分析装置は、ガスクロマトグラフ装置４１に接続する制御用コンピュータ４５から構成される。
【００２２】
なお、本発明において、第１の検出装置および第２の検出装置は、試料ガスの分析が可能なものであれば特に制限はないが、例えば、質量分析器、ＧＣ検出器およびにおい嗅ぎ装置などを挙げることができる。
【００２３】
ここで、分析装置４２として質量分析器を、分析装置４３としてにおい嗅ぎ装置を接続した場合、ＧＣ−ＭＳ／におい嗅ぎによる分析が行われる、本発明のにおい成分分析装置を構成することとなる。
【００２４】
図６に、本発明の試料ガス分流装置を用いた試料ガス分取装置の１例を示す。図６において、本発明の分析装置は、上述の試料ガス分流装置の、第１の試料ガス放出口２１に接続した第１の分析装置４２と、第２の試料ガス放出口２２に接続した捕集管４４と、を備える。なお、後述するように、図１０に示すように、第２の分析装置の一部を介して、捕集管４４を接続してもよい。
【００２５】
本発明で用いる、採集管としては、試料ガスが採集できるものであれば特に制限はなく、市販の採集管等を用いることができる。
【００２６】
なお、図５、図６では、試料ガス分流装置の第２の態様を用いているが、本発明は、試料ガス分流装置の第１の態様を用いてももちろん構わない。
【００２７】
次に、本発明の試料ガス分流装置の作用について、本発明のにおい成分分析装置を例にして説明する。図７において、分析対象となる試料を、圧力制御装置付き試料注入口５１から注入する。圧力制御装置付き試料注入口５１から注入された試料は、ＧＣカラム５６に導入され、保持時間に応じて分離され、３方コネクタＴ1-2において３方コネクタＴ1-1、Ｔ1-3に一定割合で分岐される。さらに分岐された試料は、３方コネクタＴ2-1、Ｔ2-3を経て質量分析器（分析装置４２）およびにおい嗅ぎ装置（分析装置４３）に分かれて導入さる。ここで、質量分析器４２にて質量分析が行われ、におい嗅ぎ装置４３によりにおい物質の検出が行われる。尚、流路切替バルブＶ1はスイッチがＯＦＦの状態、流路開閉バルブＶ2はスイッチがＯＮの状態にあり、圧力制御装置５２から流入する移動相ガスは、３方コネクタＴ3-1で分岐され、３方コネクタＴ1-1、Ｔ1-3に導入される。また、圧力制御装置５３から流入する移動相ガスは、３方コネクタＴ2-2を経て、３方コネクタＴ2-1、Ｔ2-3に導入される。３方コネクタＴ1-1、Ｔ1-3および３方コネクタＴ2-1、Ｔ2-3はそれぞれ同じ圧力がかかり、また３方コネクタＴ1-1、Ｔ2-3および３方コネクタＴ1-3、Ｔ2-3は同じ抵抗管で接続されるため、３方コネクタＴ1-2において３方コネクタＴ1-1、Ｔ1-3に分岐される割合は常に一定となり、分析装置４２、分析装置４３に導入される試料の割合も常に一定となる。
【００２８】
次に、ＧＣ−ＭＳによる、分析方法について説明する。におい嗅ぎによる分析が不要の場合やＧＣ−ＭＳ／におい嗅ぎにおいて、においは感じるものの、ＭＳで検出が困難な場合は、導入した試料全量を質量分析器４２に導入する。すなわち、図８に示すように、圧力制御装置付き試料注入口５１から注入された分析対象となる試料は、ＧＣカラム５６に導入され、保持時間に応じて分離され、３方コネクタＴ1-2に導入される。流路切替バルブＶ1はスイッチがＯＦＦの状態、流路開閉バルブＶ2はスイッチがＯＦＦの状態とすると、圧力制御装置５２から供給される移動相ガスが、３方コネクタＴ1-1に導入され、ＧＣカラム５６から供給される、目的とする試料成分の含まれる移動相ガスが３方コネクタＴ1-2に導入されて、３方コネクタＴ1-1から導入される移動相ガスと混合され、３方コネクタＴ1-3に供給される。このとき、圧力制御装置５２から３方コネクタＴ1-1に供給された移動相ガスは、一部が３方コネクタＴ1-2に、残りが３方コネクタＴ2-1に導入される。３方コネクタＴ1-3から出た試料ガスは、３方コネクタＴ2-3を経て、質量分析器４２に導入され、質量分析が行われる。これにより、ＧＣ−ＭＳによる分析が可能となる。Ｔ1-2はＧＣ−ＭＳ／におい嗅ぎ分析時とＧＣ−ＭＳによる分析時では同じ圧力となるため、試料成分の保持時間も同一とすることが可能である。なお、これらのバルブの制御や圧力制御装置は、制御用コンピュータ４５によって、制御させてもよい。
【００２９】
次に、ＧＣ−におい嗅ぎによる、分析方法について説明する。質量分析器による分析が不要の場合やＧＣ−ＭＳ／におい嗅ぎにおいて、より強くにおいを感じたい場合は、導入した試料全量をにおい嗅ぎ装置４３に導入する。すなわち、図９に示すように、圧力制御装置付き試料注入口５１から注入された分析対象となる試料は、ＧＣカラム５６に導入され、保持時間に応じて分離され、３方コネクタＴ1-2に導入される。流路切替バルブＶ1はスイッチがＯＮの状態、流路開閉バルブＶ2はスイッチがＯＦＦの状態とすると、圧力制御装置５２から供給される移動相ガスが、３方コネクタＴ1-3に導入され、ＧＣカラム５６から供給される、目的とする試料成分の含まれる移動相ガスが３方コネクタＴ1-2に導入されて、３方コネクタＴ1-3から導入される移動相ガスと混合され、３方コネクタＴ1-1に供給される。このとき、圧力制御装置５２から３方コネクタＴ1-3に供給された移動相ガスは、一部が３方コネクタＴ1-2に、残りが３方コネクタＴ2-3に導入される。３方コネクタＴ1-1から出た試料ガスは、３方コネクタＴ2-1を経て、におい嗅ぎ装置４３に導入され、におい物質の検出が行われる。これにより、ＧＣ−におい嗅ぎによる分析が可能となる。Ｔ1-2はＧＣ−ＭＳ／におい嗅ぎ分析時とＧＣ−におい嗅ぎによる分析時では同じ圧力となるため、試料成分の保持時間も同一とすることが可能となる。なお、これらのバルブの制御や圧力制御装置は、制御用コンピュータ４５によって、制御させてもよい。
【００３０】
次に、ＧＣ−分取による、試料ガス分取装置について説明する。ＧＣ−ＭＳ／におい嗅ぎにおいて、においは感じるものの、質量分析器では検出できない場合、においを感じる部分のみを１回から複数回捕集菅４４に濃縮したのち、ＧＣ−ＭＳ／におい嗅ぎによる分析を行う。すなわち、図１０に示すように、におい嗅ぎ装置の先端に捕集菅４４を取り付けてもよい。図８に示すように、ＧＣカラム５６により試料を分離した後、先の分析においてにおいを感じた部分の保持時間に達した場合、図１０に示すように流路切替バルブＶ1をＯＮにする。すると、圧力制御装置５２から供給される移動相ガスが、３方コネクタＴ1-3に導入され、ＧＣカラム５６から供給される、目的とする試料成分の含まれる移動相ガスが３方コネクタＴ1-2に導入されて、３方コネクタＴ1-3から導入される移動相ガスと混合され、３方コネクタＴ1-1に供給される。このとき、圧力制御装置５２から３方コネクタＴ1-3に供給された移動相ガスは、一部が３方コネクタＴ1-2に、残りが３方コネクタＴ2-3に導入される。３方コネクタＴ1-1から出た試料ガスは、３方コネクタＴ2-1を経て、におい嗅ぎ装置４３に導入され、その後捕集菅により濃縮される。なお、試料成分を捕集菅４４に導入し終えたところで、流路切替バルブＶ1を再びＯＦＦにすることで、目的としない他の成分は捕集菅４４に導入されることを防ぐことができる。なお、これらのバルブの制御や圧力制御装置は、制御用コンピュータ４５によって、制御させてもよい。
【００３１】
以上のようにして、１つの装置を用いて、ＧＣ−ＭＳ／におい嗅ぎ分析、ＧＣ−ＭＳ分析、ＧＣ−におい嗅ぎ分析、ＧＣ−分取を、装置構成を変更することなく、簡単な切り替え操作により行うことができるようになる。
【００３２】
次に本発明の他の態様につて説明する。本発明の他の態様としては、図５における第１の分析装置として質量分析器を、第２の分析装置としてＧＣ検出器を接続する。ＧＣ検出器はＧＣカラムで分離された成分を質量分析器４２とともに、ＧＣ検出器での検出ができ、流路切替バルブＶ1および流路開閉バルブＶ2を切り替えることにより、ＧＣ−ＭＳ分析、ＧＣ分析およびＧＣ−分取を行うことができる。
【００３３】
なお、ＧＣ検出器における検出装置としては、特に限定はないが、例えば、ＦＩＤ（水素炎イオン化検出器）、ＮＰＤ（窒素リン検出器）、ＥＣＤ（電子捕獲型検出器）、ＳＣＤ（イオウ炎化学発光検出器）、ＮＣＤ（窒素炎化学発光検出器）、ＡＥＤ（原子発光検出器）、ＦＰＤ（炎光光度検出器）、およびＰＦＰＤ（パルスド炎光光度検出器）等を挙げることができる。
【００３４】
なお、図３に示す本発明の試料ガス分流装置の第１の態様の装置構成とすることにより、第２の態様に比較し、より簡素な装置とすることができる。すなわち、第２の圧力制御装置５３を用いることなく、流路切替バルブＶ1と、流路開閉バルブＶ2の操作のみによって、試料ガスの分流を行うことができ、本発明の分析装置、試料ガス分取装置、におい成分分析装置として用いることができる。
そして、試料ガス放出口２１、２２における試料ガスのリテンションタイムをより精緻に制御する必要がある場合には、第２の圧力制御装置５３を用いて、本発明の試料ガス分流装置の第２の態様の装置構成とすることができる。
【産業上の利用可能性】
【００３５】
本発明によれば、ＧＣ−ＭＳにおいて、装置構成を変更することなく、ガスクロマトグラフ装置（ＧＣ）をＧＣ−ＭＳ／におい嗅ぎ、ＧＣ−ＭＳ分析、ＧＣ−におい嗅ぎ分析、ＧＣ−分取を自由自在に行えるようになる。また、本発明によれば、におい分析以外の分析においてもＧＣ分析とＧＣ分取を切り替えて行うことが、可能となる。
【符号の説明】
【００３６】
１  ガスクロマトグラフ
２  質量分析器
３  試料注入口
４  カラム
５  スプリッタ
６  におい嗅ぎ装置
１０  試料ガス分流装置
２１、２２  試料ガス放出口
４１  ガスクロマトグラフ装置
４２、４３  分析装置
４４  捕集菅
４５  制御用コンピュータ
５１  圧力制御装置付き試料注入口
５２、５３  圧力制御装置
５６  ＧＣカラム
Ｔ1-1、Ｔ1-2、Ｔ1-3、Ｔ2-1、Ｔ2-2、Ｔ2-3  ３方コネクタ
Ｖ1  流路切替バルブ
Ｖ2  流路開閉バルブ
【図３】
2014211338.tif 000003
【図４】
2014211338.tif 000004
【図５】
2014211338.tif 000005
【図６】
2014211338.tif 000006
【図７】
2014211338.tif 000007
【図８】
2014211338.tif 000008
【図９】
2014211338.tif 000009
【図１０】
2014211338.tif 000010
【図１】
2014211338.tif 000011
【図２】
2014211338.tif 000012